(57)【要約】【課題】取り扱いが容易で、ホース状ノズル内に残存する液体を容器内に効率的に回収でき、該ホース状ノズルの先端からの液タレを防止する自動車用液体収容容器を提供すること。【解決手段】本発明の自動車用液体収容容器１は、受容口21及び吐出口22を有する容器本体2と、先端3aに注出口31を有し基部3bが吐出口22に装着されるホース状ノズル3と、該ノズル3の先端部32を掛止するノズルホルダー4とを具備しており、ノズル3は、先端部32と基部3bとの間の中央部３４が、屈曲自在に形成されており、ノズルホルダー4は、吐出口22の周囲に装着される装着穴41及び先端部32が挿入掛止される挿入穴42を有し、該挿入穴42を上方にし、装着穴41を介して、吐出口22の周囲に装着されており、その不使用時には、ノズル3の先端部32が挿入穴41に挿入掛止されて、注出口31が受容口22に臨んでおり、ノズル3内の液体が、容器本体2内に回収されるようになされている。【選択図】図１
2007145406.tif 000002
【特許請求の範囲】
【請求項１】
受容口及び吐出口を有する容器本体と、先端に注出口を有し基部が前記吐出口に装着されるホース状ノズルと、該ホース状ノズルの先端部を掛止するノズルホルダーとを具備する自動車用液体収容容器であって、
前記ホース状ノズルは、前記先端部と前記基部との間の中央部が、屈曲自在に形成されており、
前記ノズルホルダーは、前記吐出口の周囲に装着される装着穴及び前記先端部が挿入掛止される挿入穴を有し、該挿入穴を上方にし、前記装着穴を介して、前記吐出口の周囲に装着されており、
不使用時には、前記ホース状ノズルの前記先端部が前記挿入穴に挿入掛止されて、前記注出口が前記受容口に臨んでおり、前記ホース状ノズル内の液が、前記容器本体内に回収されるようになされている自動車用液体収容容器。
【請求項２】
前記ノズルホルダーは、縦長の平板であり、その長手方向に間隔をあけて前記装着穴及び前記挿入穴が設けられており、該装着穴が前記吐出口の外周に嵌挿され、前記ホース状ノズルの前記基部が該吐出口に装着されて、該吐出口に装着されている請求項１記載の自動車用液体収容容器。
【請求項３】
前記ホース状ノズルの前記基部は、前記吐出口に螺合して装着されている請求項１又は２記載の自動車用液体収容容器。
【請求項４】
前記ホース状ノズルの前記中央部が、蛇腹状である請求項１〜３の何れかに記載の自動車用液体収容容器。
【請求項５】
前記吐出口の反対側における前記容器本体の外面に、容器把持部が設けられている請求項1〜４の何れかに記載の自動車用液体収容容器。
【発明の詳細な説明】
【技術分野】
【０００１】
本発明は、自動車用液体収容容器、特にエンジンオイル、ミッションオイル、クーラント等の液体の注入の際に用いられる自動車用液体収容容器に関する。
【背景技術】
【０００２】
従来より、エンジンオイル等の自動車用液体収容容器が用いられている。具体的には、自動車のエンジンオイルを交換する際には、製品として大きな缶に入っている新品のエンジンオイルを、一旦、自動車用液体収容容器に小分けし、該自動車用液体収容容器を用いてエンジンオイルがエンジンに注入される。
【０００３】
そして、構造が簡単で注入し易いオイルジョッキが提案されている（特許文献１）。
【０００４】
特許文献１には、本体部を有し、本体部の上部に流体を投入するための流入口が設けられており、本体部上部の流入口に対向する側に、本体部の内部と連通するホース状のノズルが、本体部に一体に成形されており、ノズルの先端が、本体部内の流体を注ぎ出すための吐出口となっているオイルジョッキが開示されている。ホース状のノズルは、本体部から斜め上方に向って延びており、その不使用時には、ホース状ノズル内に残存する液を本体部内に回収できるようになっている。また、このオイルジョッキは吐出口にキャップを備えることより、複数回に分けて注入するときなどに、吐出口からこぼれたり、吐出口が汚染されたりすることがない。
【０００５】
また、取っ手の付いた容量の大きな漏斗部を有する自動車用液体収容容器が提案されている（特許文献２）。
【０００６】
特許文献２には、取っ手の付いた容量の大きな漏斗部と該漏斗部を安定させて据え置くための下部とから構成される本体と、閉止弁とノズル抜け防止フックとを有するノズルとを備えた自動車用液体収容容器が開示されている。その不使用時には、ノズル抜け防止フックを、漏斗部の上部に掛止することにより、ホース状ノズル内に残存する液を漏斗部内に回収できるようになっている。
【特許文献１】特開２００１−１８０６３４号公報
【特許文献２】特開２００２−３４７８９８号公報
【発明の開示】
【発明が解決しようとする課題】
【０００７】
特許文献１及び特許文献２それぞれに記載の自動車用液体収容容器は、液体を吐出するための長いホース状ノズルを有している。特許文献１に記載の自動車用液体収容容器は、ホース状ノズルをしまう手段を備えていないため、その不使用時の形態がコンパクトでない。また、特許文献２に記載の自動車用液体収容容器は、その不使用時に、閉止弁を正確に閉めておかないと、ノズルの先端から液体が漏れるおそれがある。
【０００８】
従って、本発明の目的は、取り扱いが容易で、ホース状ノズル内に残存する液体を容器内に効率的に回収でき、該ホース状ノズルの先端からの液タレを防止する自動車用液体収容容器を提供することにある。
【課題を解決するための手段】
【０００９】
本発明は、受容口及び吐出口を有する容器本体と、先端に注出口を有し基部が前記吐出口に装着されるホース状ノズルと、該ホース状ノズルの先端部を掛止するノズルホルダーとを具備する自動車用液体収容容器であって、該ホース状ノズルは、前記先端部と前記基部との間の中央部が、屈曲自在に形成されており、前記ノズルホルダーは、前記吐出口の周囲に装着される装着穴及び前記先端部が挿入掛止される挿入穴を有し、該挿入穴を上方にし、前記装着穴を介して、前記吐出口の周囲に装着されており、不使用時には、前記ホース状ノズルの前記先端部が前記挿入穴に挿入掛止されて、前記注出口が前記受容口に臨んでおり、前記ホース状ノズル内の液が、前記容器本体内に回収されるようになされている自動車用液体収容容器を提供することにより、上記目的を達成したものである。
【発明の効果】
【００１０】
本発明の自動車用液体収容容器によれば、取り扱いが容易で、ホース状ノズル内に残存する液体を容器内に効率的に回収でき、該ホース状ノズルの先端からの液タレを防止する。
【発明を実施するための最良の形態】
【００１１】
以下、本発明の自動車用液体収容容器の好ましい一実施形態について、図１〜５を参照しながら説明する。
【００１２】
本実施形態の自動車用液体収容容器１としてのオイルジョッキは、図１〜図３に示すように、受容口２１及び吐出口２２を有する容器本体２と、先端３ａに注出口３１を有し基部３ｂが吐出口２２に装着されるホース状ノズル３と、該ホース状ノズル３の先端部３２を掛止するノズルホルダー４とを具備している。
【００１３】
また、本実施形態のオイルジョッキ１において、ホース状ノズル３は、先端部３２と基部３ｂとの間の中央部３４が、屈曲自在に形成されており、ノズルホルダー４は、図３及び図４に示すように、吐出口２２の周囲に装着される装着穴４１及び先端部３２が挿入掛止される挿入穴４２を有し、該挿入穴４２を上方にし、装着穴４１を介して、吐出口２２の周囲に装着されている。
【００１４】
本実施形態のオイルジョッキ１は、その不使用時には、図２に示すように、ホース状ノズル３の先端部３２が挿入穴４１に挿入掛止されて、注出口３１が受容口２２に臨んでおり、ホース状ノズル３内の液体が、容器本体２内に回収されるようになされている。
【００１５】
本実施形態のオイルジョッキ１は、エンジンオイル等の液体の収容に好ましく用いられる容器である。例えば、自動車のエンジンオイルを交換する際には、製品として大きな缶に入っている新品のエンジンオイルを、一旦、オイルジョッキ１に小分けし、その後、オイルジョッキ１を用いてエンジンオイルがエンジンに注入される。
【００１６】
本実施形態のオイルジョッキ１について、更に説明すると、容器本体２は、円形状の底面を有する略円錐台形状に形成された中空状の容器である。容器本体２の上部には、図２に示すように、オイルを注入するための受容口２１が形成されている。容器本体２の上部において、受容口２１の反対側には、図３に示すように、ホース状ノズル３が装着される吐出口２２が形成されている。
【００１７】
受容口２１は、容器本体２の上方に向って大きく開いた開口部である。受容口２１は、吐出口２２と対向する側が、図２に示すように、容器本体２の外方に向って張り出している。オイルジョッキ１をその上方から平面視した場合、容器本体２の上部は、その片側の大半が開口部としての受容口２１となっており、受容口２１は、オイルを容器本体２内へ注入し易いように、大きく設けられている。
【００１８】
吐出口２２は、図４に示すように、円筒形状を有し、断面が円形の開口部であり、容器本体２の斜め上方に向って開口している。吐出口２２の外周面には、ホース状ノズル３と螺合する螺合溝２２１が設けられている。
【００１９】
また、容器本体２の上部における吐出口２２側の部分は、図１に示すように、漏斗状に形成されており、容器本体２を前方に傾けた場合、容器本体２内部のオイルが、前記漏斗状の部分に一旦溜まり、吐出口２２を通ってホース状ノズル３へ吐出されるようになっている。
【００２０】
本実施形態のオイルジョッキ１におけるホース状ノズル３は、図３に示すように、細長い円筒形状であり、基部３ｂから先端３ａへ向って、外径が徐々に減少している。
【００２１】
ホース状ノズル３の先端部３２は、先細りの円筒形状に形成されている。注出口３１は、先端部３２の先端に形成されており、断面が円形の開口部である。前述したような先端部３２を有するホース状ノズル３は、該注出口３１から注出されるオイルの方向性をコントロールし易くなっている。また、注出口３１の外径が小さいため、該注出口３１を、エンジンのオイル受容口等に直接差し込んで、オイルをエンジン内に注入することもできる。
【００２２】
また、ホース状ノズル３は、図３又は図５に示すように、先端部３２と基部３ｂとの間の中央部３４が、蛇腹状である。中央部３４は、屈曲自在であると共に、若干の伸縮性を有している。オイルジョッキ１の使用時には、中央部３４は、図５に示すように、先端部３２が若干下方を向くように撓んでいる。
【００２３】
通常、自家用自動車のエンジンオイルの交換作業は、エンジンフードとエンジンルームとの間の比較的狭い空間での作業となるが、ホース状ノズル３は自在に屈曲することが可能なため、狭い作業空間において、注出口３１と容器本体２との位置関係を、自在にとることが可能である。
【００２４】
前述したように、本実施形態のオイルジョッキ１におけるホース状ノズル３は、優れた操作性を有している。
【００２５】
前述したホース状ノズル３の長さは、オイルジョッキ１の容量によって適宜設定されることが好ましい。例えば、オイルジョッキ１の容量が１〜５Ｌの場合には、ホース状ノズル３の長さは、１５〜６５ｃｍ、特に２０〜５５ｃｍであることが、優れた操作性を有する上で好ましい。中央部３４の長さは、１０〜４０ｃｍ、特に１３〜３５ｃｍであることが、オイルジョッキ１の不使用時に、中央部３４を屈曲させ、先端部３２を挿入穴４２に掛止する上で好ましい。また、先端部３２の長さは、３〜２０ｃｍ、特に５〜１５ｃｍであることが、同様の観点から好ましい。
【００２６】
ホース状ノズル３の基部３ｂには、図３及び図４に示すように、ノズル装着用のキャップ３３が形成されている。キャップ３３は、円筒形状を有し、端部が開口しており、キャップ３３の内周面には、吐出口２２と螺合する螺合溝が設けられている。
【００２７】
本実施形態のオイルジョッキ１におけるノズルホルダー４は、図２に示すように、縦長の平板であり、輪郭が長円形状を有している。ノズルホルダー４には、その長手方向に間隔をあけて装着穴４１及び挿入穴４２が設けられている。装着穴４１及び挿入穴４２それぞれは、共に円形であり、ノズルホルダー４における長手方向の両端部それぞれに近接して形成されている。
【００２８】
装着穴４１は、吐出口２２の外径と略同等の内径を有し、吐出口２２の外周に嵌挿される。一方、挿入穴４２は、ホース状ノズル３の先端部３２の外径と同等か、又は先端部３２の外径よりも大きな内径を有している。具体的には、挿入穴４２の内径は、先端部３２の外径よりも、０〜１０％、特に１〜５％大きいことが好ましい。挿入穴４２の内径が、先端部３２の外径と同等以上であることにより、先端部３２を挿入穴４２に容易に挿入することができる。一方、他方の挿入穴４２の内径が、先端部３２の外径よりも１０％以上大きいと、挿入された先端部３２が挿入穴４２に確実に掛止され難い場合がある。
【００２９】
尚、先端部３２の外径は、その長手方向において異なっているが、前述した外径は、長手方向において最も大きい値とする。即ち、先端部３２において、蛇腹状の中央部３４に最も近い部分の外径である。
【００３０】
ノズルホルダー４において、装着穴４１と挿入穴４２との間を、ノズルホルダー４の長手方向に測定した長さは、２０〜７０ｍｍ、特に３０〜６０ｍｍであることが、オイルジョッキ１の不使用時に、先端部３２を挿入穴４２に挿入掛止し易く且つ挿入掛止された先端部３２の注出口３１が、受容口２１の上方に位置するように、該受容口２１に臨む上で好ましい。尚、前記長さは、装着穴４１及び挿入穴４２それぞれの最近接する開口縁同士の間を、ノズルホルダー４の長手方向に測定した長さである。
【００３１】
ノズルホルダー４は、図１及び図２に示すように、装着穴４１が吐出口２２の外周に嵌挿され、ホース状ノズル３の基部３ｂが吐出口２２に装着されて、吐出口２２に装着されている。
【００３２】
詳述すると、ノズルホルダー４における装着穴４１が吐出口２２の外周に嵌挿された状態で、図４に示すように、ホース状ノズル３の基部３ｂにおけるキャップ３３が、吐出口２２に螺合して装着されると共に、ノズルホルダー４が吐出口２２に装着される。
【００３３】
次に、前述したオイルジョッキ１の不使用時における形態を、図２を参照しながら以下に説明する。
【００３４】
まず、ホース状ノズル３は、その長手方向において、基部３ｂ側の部分３５と、先端３ａ側の部分３６と該両部分の間に介在された屈曲部３７との３つに区分される。
【００３５】
ホース状ノズル３の形態は、基部３ｂ側の部分３５が、吐出口２２から、容器本体２の斜め上方に向って延び、屈曲部３７において、上側にＵ字状に屈曲した後、先端３ａ側の部分３６は、受容口２１の上方に向って、斜め下方に延び、注出口３１が受容口２１に臨んでいる。本実施形態において、ホース状ノズル３の注出口３１は、オイルジョッキ１をその上方から平面視した場合、受容口２１の略中央部に位置している。
【００３６】
オイルジョッキ１は、その不使用時において、前述したような形態を有しているため、ホース状ノズル３内に残存する液体を容器内に効率的に回収でき、該ホース状ノズル３の先端３ａからの液タレを防止するようになっている。
【００３７】
詳述すると、基部３ｂ側の部分３５内部に残存するオイルは、基部３ｂに流れ落ちた後、該吐出口２２から、容器本体２内部へ落ちて、回収されるようになされている。また、先端３ａ側の部分３６内部に残存するオイルは、先端３ａに流れ落ちた後、注出口３１から、受容口２１内へ落ちて、容器本体２に回収されるようになされている。
【００３８】
本実施形態のオイルジョッキ１について、更に説明すると、図２に示すように、吐出口２２の反対側における容器本体２の外面に、容器把持部５が設けられており、片手で、オイルジョッキ１を持ち上げられるようになっている。容器把持部５は、片手で握れる長さ及び太さを有した握り部５１を有している。握り部５１は、容器本体の側面と所定の角度を有しており、握り部５１を把持し、オイルジョッキ１を傾けて、ホース状ノズル３からオイルジョッキ１内のオイルを注ぎ易くなっている。
【００３９】
本実施形態のオイルジョッキ１に収容される液体の容量は、用途に応じて適宜設定されることが好ましい。自動車のエンジンには、一般に２Ｌ以上のエンジンオイルが用いられるので、オイルジョッキ１に注入保持される液体の容量は、２Ｌ以上であることが好ましい。一方、該容量が５Ｌ以下であることが、内部に液体が入った状態でオイルジョッキ１を持ち運ぶ上で好ましい。
【００４０】
本実施形態のオイルジョッキ１を構成する各部材について説明すると、容器本体２、ホース状ノズル３、ノズルホルダー４それぞれの形成材料としては、従来のオイルジョッキにおいて用いられている各種の材料を用いることができ、ポリオレフィン系樹脂、ハロゲン含有樹脂、酢酸ビニル系樹脂、アクリル系樹脂、ポリエステル系樹脂、ポリアミド系樹脂、スチレン系樹脂等の合成樹脂でも良いが、銅、メッキ鋼板、ステンレス、アルミニウム、マグネシウム、チタン等の金属でも良い。特にポリオレフィン系樹脂のポリエチレン、ポリプロピレンであることが、使用時における取り扱いの容易性及び製造時における成形のし易さや価格の上で好ましい。
【００４１】
本実施形態のオイルジョッキ１を使用する際には、まず、受容口２１からオイルを容器本体２内へ注入し、容器把持部５を持ってオイルジョッキ１を使用する場所まで持ち運び、エンジン内等にホース状ノズル３からオイルを注出する。使用後は、ホース状ノズル３を、図２に示すように、上側にＵ字状に屈曲し、先端部３２をノズルホルダー４の挿入穴４２に挿入掛止し、注出口３１が、受容口２１に望むようにする。
【００４２】
前述した本実施形態のオイルジョッキ１によれば、容易な取り扱いで、ホース状ノズル３内に残存するオイルを容器内に効率的に回収でき、ホース状ノズル３の先端３ａからの液タレを防止できる。
【００４３】
本発明の自動車用液体収容容器としてのオイルジョッキは、前述した実施形態に制限されることなく、本発明の趣旨を逸脱しない限り適宜変更が可能である。
【００４４】
例えば、本発明のオイルジョッキ１におけるノズルホルダー４は、平板であったが、長手方向に間隔をあけた装着穴４１及び挿入穴４２を有していれば良く、例えば、２つの環状部を棒材で連結したものであっても良い。
【００４５】
また、ノズル４は、吐出口２２と螺合により装着されていたが、嵌着、締結等の公知の装着手段も好ましく用いられる。
【００４６】
本発明のオイルジョッキは、エンジンオイルを収容しても良いが、ミッションオイル、クーラント、ブレーキフルードオイル、ウインドウウォッシャー液等の液体を収容しても良い。
【図面の簡単な説明】
【００４７】
【図１】図１は、本発明のオイルジョッキの一実施形態を示す斜視図である。
【図２】図２は、図１の実施形態の側面図である。
【図３】図３は、図１の実施形態の分解斜視図である。
【図４】図４は、図３の要部を拡大して示す斜視図である。
【図５】図５は、図１の実施形態のホース状ノズルの先端部をノズルホルダーから外した状態を示す斜視図である。
【符号の説明】
【００４８】
１    オイルジョッキ（自動車用液体収容容器）
２    容器本体
２１  受容口
２２  吐出口
２２１  螺合溝
３    ノズル
３ａ  先端
３ｂ  基部
３１  注出口
３２  先端部
３３  ノズル装着用のキャップ
３４  中央部
３５  基部側の部分
３６  先端側の部分
３７  屈曲部
４    ノズルホルダー
４１  装着穴
４２  挿入穴
５    容器把持部
５１  握り部
【図１】
2007145406.tif 000003
【図２】
2007145406.tif 000004
【図３】
2007145406.tif 000005
【図４】
2007145406.tif 000006
【図５】
2007145406.tif 000007